(57)【要約】【課題】  全般的な杭を目的とするもので、ケーシングで杭を保護し、ねじれが発生せず、施工が安定し、確実に支持力が確保できる杭の構造及び杭の埋入工法を提供する。【解決手段】  杭の先端に拡底羽根を設けたキャップを冠着し、杭を螺旋羽根付きのケーシングで被装した杭構造であって、杭を回転して埋入する際に羽根の大きさによって大径の穴が形成され、２段式の羽根によるため掘削が円滑で、ケーシングの引抜きに当っては、逆回転で引抜くことで、羽根によって地盤を圧縮し締固めにより、杭の支持力が確保できる。【選択図】  図３
2007132008.tif 000002
【特許請求の範囲】
【請求項１】
杭の先端に２枚で形成した拡底羽根を交叉して取付けた推進キャップを冠着して固定し、該杭の外側に螺旋状の羽根を設けたケーシングにストッパーを設けて杭に被装定着させた掘削羽根を上下２段に設けた推進杭の構造。
【請求項２】
請求項１に記載の推進杭を使用し、オーガーの回転によって杭を埋入し、埋設後オーガーを逆回転させ、前記ストッパーの定着を外して、杭を残してケーシングを引抜くこと、この際ケーシングの羽根の回転によって周囲の地盤を押圧して締固めることを特徴とした請求項１に記載の推進杭の埋込み工法。
【発明の詳細な説明】
【技術分野】
【０００１】
本発明は、基礎地盤に基礎杭を埋入する推進杭の構造及びその埋込み工法に関する。
【背景技術】
【０００２】
基礎杭の埋設に当っては、無騒音、無振動、無排土で杭を埋設する杭及びその埋設工法は、公害に対しての諸問題を解決するために下記参考文献にも示されているように、いくつかの公知例が開発されている。
【０００３】
この公知例は、杭自体にねじ込み用の羽根を設けるもの、或は羽根付きのケーシングを用いて杭頭に回転装置を取付けてねじ込み埋設するものである。
【特許文献１】特開２００３−１４７７７０号公報
【特許文献２】特開２００４−５２５３８号公報
【発明の開示】
【発明が解決しようとする課題】
【０００４】
上記公知例に示されている杭自体にねじ込み用の羽根を設けるもの、或は羽根付きケーシングによってねじ込むものは、無騒音、無振動、無排土という点ですぐれているが、いずれも杭頭のオーガー装置によって回転を付与するもので、この回転が杭先端の掘削羽根に伝達されたとき、羽根の抵抗によって杭にねじれが生じて鉛直な埋設に狂が生じ、杭の支持力が低下するばかりか、回転のスピードが低下するという欠点が生じる。
【課題を解決するための手段】
【０００５】
発明者は、上記点に鑑み試作研究を続けた結果本発明に到達したものであって、本発明は図示されているように、掘削する羽根を杭の先端の推進キャップ（２０）と、ケーシング（３０）に設けた螺旋羽根（３１）との二段に設けること、及びオーガーによる推進回転を杭の先端のキャップに伝達させることによって推進する掘削力を強めると共に、回転によって生じる杭のねじれを防止することができる。
【０００６】
そして、このオーガーの回転力を杭と一体としたケーシングの先端に伝達することで、掘削推進を早めて作業の能率を上げると共に、杭を所定位置に埋設し、又ケーシングを引抜く際には、オーガーの回転を逆回転とすることによって、杭のキャップ（２０）とケーシング（３０）を係止しているストッパー（３２）が外れて、ケーシング（３０）を逆回
転させながら引抜くことで、排出する残土が圧縮され、杭の周囲が押し固められる。
【０００７】
またこのようにしてケーシング（３０）を引抜く際には、ケーシングに設けた螺旋羽根（３１）によって掘削地盤は押圧されて締固められ、安定した地盤が形成される。そして後で注入するセメントミルクの固化と共に杭の支持力の向上が約束される。
【発明の効果】
【０００８】
上述のように本発明の杭及びこの杭による工法は２段に設けた掘削羽根による埋設のため基礎の構築の工期が早く、しかも安定した杭の定着があるため従来の基礎に比較して卓越した構築上の作用効果を奏する。
【実施例】
【０００９】
添付図面により本発明の実施例を説明すると、図１乃至図３は杭の構造を示すものであり、図１において鋼管杭（１）の一部を示す断面図であって管体の先端に蓋（２）を設ける。この蓋（２）には中心に透孔（３）を設けた突片（４）を接合する。
【００１０】
図２は図１に示した杭最先端に冠着するキャップ（２０）の断面図である。このキャップ（２０）は、拡底羽根（２５）が設けられ、この拡底羽根によって広い孔が掘削される。そしてこのキャップ（２０）の底には中央に孔（２２）を設けた底板（２１）を設けるもので、図１に示した杭（１）の最先端に冠着する。
【００１１】
しかるときはキャップ（２０）の底板（２１）中央の孔（２２）に杭（１）に設けられた突片（４）がキャップ底板の中央の孔（２２）を貫通して露出し、これによって突片の孔（３）が露現するので、この露現した孔（３）に図３に示しているようにクサビ（２３）を打込んで杭先端にキャップ（２０）を固定して一体とする。従って杭（１）は、先端
に拡底羽根（２５）を取付けたキャップ（２０）が固定され、後述するように、このままの状態で基礎杭として埋設される。
【００１２】
図３は螺旋状の羽根（３１）を外周に設けたケーシング（３０）を被装した推進杭の構造を示すものであって、図示していないが上端はオーガーに接続されていて、回転して掘削埋入するものである。この被装されるケーシング（３０）と杭との固定は、ケーシング（３０）の先端に設けたストッパー（３２）が、キャップ（２０）に設けた拡底羽根（２５）に当接して止められ、オーガーの回転（正回転とする）が、そのままケーシング（３０）を経てキャップに伝達されて拡底羽根（２５）が回転作動する。従って本発明は、ケーシング（３０）の螺旋羽根（３１）と連動するキャップ（２０）の拡底羽根（２５）との上下２段の羽根によって掘削が進められる。
【００１３】
図４により本発明の推進杭を使用した埋入工法を説明すると、本発明にあっては鋼管杭について説明しているが、コンクリート杭でもコンクリート杭と鋼管杭との複合杭であってもいずれでも埋入工法については同様である。
【００１４】
図４は本発明の杭を使用した埋設手段でその特徴ある工程を図ａ、ｂについて説明する。ａ工程は、埋入の実施例図であり、空掘をした穴の中に図３で示した本発明の杭、即ち先端に拡底羽根（２５）を設け螺旋羽根（３１）のケーシングを被装した杭を前記の正回転させながら埋入して穴の形態を整えながら挿入する。
【００１５】
このとき図示していないが拡底羽根（２５）によって穴の底部は拡大して球状に形成される。ｂ図はオーガーを逆回転して杭本体（１）を残してケーシング（３０）を引抜く実施例図を示す。オーガーを逆回転すると、図３に示しているケーシングの先端に設けたストッパー（３２）と拡底羽根（２５）との係合が外れケーシング（３０）は逆回転をしな
がら杭（１）を残して上方に引抜かれるが、この際にケーシングの外周に設けられている螺旋羽根（３１）によって、穴の外壁が押圧され、整えられた穴面が形成され、これにより後から注入されるセメントミルクの固化と相俟って強固な安定した支持力が構成される。
【産業上の利用可能性】
【００１６】
本発明は前述のように、無騒音・無振動で、しかも無排土で掘削が可能であり、従来の工法に比較して効率よく施工ができるため、基礎工事が能率よく完了することによってこの利用価値は大きい。
【図面の簡単な説明】
【００１７】
【図１】施工に用いる杭先端部分の断面図
【図２】杭キャップの断面図
【図３】羽根付ケーシングを被装した杭の構造断面図
【図４】（ａ）杭を埋入した実施例図              （ｂ）杭を残してケーシングを抜く実施例図
【符号の説明】
【００１８】
１  杭
２  杭の底板
３  クサビ穴
４  凸片
２０  キャップ
２１  キャップの底板
２２  穴
２５  拡底羽根
３０  ケーシング
３１  螺旋羽根
３２  ストッパー
３３  クサビ
【図１】
2007132008.tif 000003
【図２】
2007132008.tif 000004
【図３】
2007132008.tif 000005
【図４】
2007132008.tif 000006